(57)【要約】【課題】平坦に敷き詰められた際に取り出し容易な蓄冷剤容器を提供する。【解決手段】中空平板状の蓄冷剤容器１０Ａにおいて、使用時に下面を構成する表面１１Ａと上面を構成する表面１２Ａ間を貫通する少なくとも２つの貫通穴１３Ａ，１４Ａが並設され、前記貫通穴１３Ａ，１４Ａ間に中空把持部１５Ａが形成されている。前記中空把持部１５Ａの表面は、前記貫通穴１３Ａ，１４Ａが形成されている前記一組の表面のうち一方の表面１１Ａ側では窪んだ形状とされ、かつ他方の表面１２Ａ側では外方へ膨出した形状とされるのが好ましい。さらに、前記中空把持部１５Ａは両端が前記蓄冷剤容器１０Ａ内で開口して前記蓄冷剤容器内の前記中空把持部１５Ａ以外の部分と連通しているのが好ましい。また、前記蓄冷剤容器１０Ａは、平面視において前記中空把持部１５Ａの延長線上に蓄冷剤充填口１８Ａが形成されているのが好ましい。【選択図】　　　　図１
2004069126.tif 000002
【特許請求の範囲】
【請求項１】
中空平板状の蓄冷剤容器において、対向する一組の表面間を貫通する少なくとも２つの貫通穴が並設され、前記貫通穴間に中空把持部が形成されていることを特徴とする蓄冷剤容器。
【請求項２】
前記中空把持部は、前記貫通穴が形成されている前記一組の表面のうち一方の表面側から他方の表面側へ窪んだ形状にされていることを特徴とする請求項１に記載の蓄冷剤容器。
【請求項３】
前記中空把持部の表面は、前記貫通穴が形成されている前記一組の表面のうち一方の表面側では窪んだ形状とされ、かつ他方の表面側では外方へ膨出した形状とされていることを特徴とする請求項１に記載の蓄冷剤容器。
【請求項４】
前記中空把持部は両端が前記蓄冷剤容器内で開口して前記蓄冷剤容器内の前記中空把持部以外の部分と連通していることを特徴とする請求項１から３の何れか一項に記載の蓄冷剤容器。
【請求項５】
前記蓄冷剤容器は、平面視において前記中空把持部の延長線上に蓄冷剤充填口が形成されていることを特徴とする請求項１から４の何れか一項に記載の蓄冷剤容器。
【請求項６】
前記蓄冷剤充填口と対向する前記中空把持部の端部は、前記蓄冷剤充填口へ向けて拡開していることを特徴とする請求項４又は５に記載の蓄冷剤容器。
【請求項７】
前記貫通穴の形成されている一組の表面のうち一方の表面は、前記蓄冷剤容器の使用時における下面を構成し、他方の表面は前記蓄冷剤容器の使用時における上面を構成することを特徴とする請求項１から６の何れか一項に記載の蓄冷剤容器。
【請求項８】
前記中空把持部は、前記蓄冷剤容器の使用時における下面側から上面側へ窪んだ形状にされていることを特徴とする請求項２から７の何れか一項に記載の蓄冷剤容器。
【請求項９】
前記中空把持部は、前記蓄冷剤容器の使用時における下面側では窪んだ形状とされ、かつ前記蓄冷剤容器の使用時における上面側では外方へ膨出した形状とされていることを特徴とする請求項３から８の何れか一項に記載の蓄冷剤容器。
【請求項１０】
前記中空把持部は、側面が凹凸形状とされていることを特徴とする請求項１から９の何れか一項に記載の蓄冷剤容器。
【請求項１１】
前記中空把持部の厚み方向に沿って前記中空把持部の側面が略くの字形状に外方へ膨出していることを特徴とする請求項１から１０の何れか一項に記載の蓄冷剤容器。
【発明の詳細な説明】
【０００１】
【発明の属する技術分野】
この発明は、蓄冷剤が充填される中空平板状の蓄冷剤容器に関し、特には蓄冷剤が充填されて保冷容器あるいは保冷装置内に所要数平坦に敷き並べられるのに好適な蓄冷剤容器に関する。
【０００２】
【従来の技術】
従来、食材のような保冷が必要な品物の輸送や保管に際し、蓄冷体が多用されている。前記蓄冷体は、蓄冷剤容器に蓄冷剤が充填されたもので、予め冷凍庫等で冷却した後に使用される。また、前記蓄冷体には、保冷容器や保冷装置内への品物の収納効率を低下させないようにするためなどの理由から、保冷容器や保冷装置内の底面等に平坦に所要数敷き並べられるものがある。前記のような平坦に敷き並べられる蓄冷体においては、少なくとも下面が製品番号等の僅かな凹凸や必要な凹部を除いて外方への突部の存在しない略平坦に形成された中空平板状の蓄冷剤容器が、好適なものとされている。
【０００３】
【発明が解決しようとする課題】
しかし、従来においては、保冷容器又は保冷装置内の底面等に蓄冷体が隙間なく平坦に敷き並べられると、蓄冷体を取り出す際に蓄冷剤容器をつかみにくく、取り出し作業がスムーズに行えない問題がある。特に、手袋をはめて作業する場合には、蓄冷剤容器に対して手が滑り易く、ますます作業がしずらくなる問題がある。
【０００４】
この発明は、前記の点に鑑みなされたもので、平坦に敷き詰められた際にも取り出しが容易な蓄冷剤容器を提供するものである。
【０００５】
【課題を解決するための手段】
請求項１の発明は、中空平板状の蓄冷剤容器において、対向する一組の表面間を貫通する少なくとも２つの貫通穴が並設され、前記貫通穴間に中空把持部が形成されていることを特徴とする。
【０００６】
請求項２の発明は、請求項１において、前記中空把持部が、前記貫通穴の形成されている前記一組の表面のうち一方の表面側から他方の表面側へ窪んだ形状にされていることを特徴とする。
【０００７】
請求項３の発明は、請求項１において、前記中空把持部の表面が、前記貫通穴の形成されている前記一組の表面のうち一方の表面側で窪んだ形状とされ、かつ他方の表面側で外方へ膨出した形状とされていることを特徴とする。
【０００８】
請求項４の発明は、請求項１から３の何れか一項において、前記中空把持部の両端が前記蓄冷剤容器内で開口して、前記中空把持部と前記蓄冷剤容器内の前記中空把持部以外の部分とが連通していることを特徴とする。
【０００９】
請求項５の発明は、請求項１から４の何れか一項において、前記蓄冷剤容器には、平面視における前記中空把持部の延長線上に蓄冷剤充填口が形成されていることを特徴とする。
【００１０】
請求項６の発明は、請求項４又は５において、前記蓄冷剤充填口と対向する前記中空把持部の端部が、前記蓄冷剤充填口へ向けて拡開していることを特徴とする。
【００１１】
請求項７の発明は、請求項１から６の何れか一項において、前記貫通穴の形成されている一組の表面のうち一方の表面が、前記蓄冷剤容器の使用時における下面を構成し、他方の表面は前記蓄冷剤容器の使用時における上面を構成することを特徴とする。
【００１２】
請求項８の発明は、請求項２から７の何れか一項において、前記中空把持部が、前記蓄冷剤容器の使用時における下面側から上面側へ窪んだ形状にされていることを特徴とする。
【００１３】
請求項９の発明は、請求項３から８の何れか一項において、前記中空把持部が、前記蓄冷剤容器の使用時における下面側では窪んだ形状とされ、かつ前記蓄冷剤容器の使用時における上面側では外方へ膨出した形状とされていることを特徴とする。
【００１４】
請求項１０の発明は、請求項１から９の何れか一項において、前記中空把持部の側面が凹凸形状とされていることを特徴とする。
【００１５】
請求項１１の発明は、請求項１から１０の何れか一項において、前記中空把持部の厚み方向に沿って前記中空把持部の側面が略くの字形状に外方へ膨出していることを特徴とする。
【００１６】
【発明の実施の形態】
以下添付の図面に従ってこの発明を詳細に説明する。図１はこの発明の第一実施例に係る蓄冷剤容器の平面図、右側面図、正面図、図２は図１の２ａ−２ａ、２ｂ−２ｂ、２ｃ−２ｃの各断面図、図３は第一実施例における二点鎖線部分Ａを断面にして示す平面図、図４は第二実施例の蓄冷剤容器の平面図、右側面図、正面図、図５は図４の５ａ−５ａ、５ｂ−５ｂ、５ｃ−５ｃの各断面図、図６は第二実施例における二点鎖線部分Ｂを断面にして示す平面図、図７は第三実施例の蓄冷剤容器の平面図、右側面図、正面図、図８は図７の８ａ−８ａ、８ｂ−８ｂ、８ｃ−８ｃの各断面図、図９は第三実施例における二点鎖線部分Ｃを断面にして示す平面図である。
【００１７】
図１〜図３に示すこの発明の一実施例に係る蓄冷剤容器１０Ａは、ポリエチレン、ポリプロピレン等のポリオレフィンあるいはポリアミド、ポリエステル等のプラスチックで構成され、ブロー成形、射出成形、圧縮成形等により所望の中空平板状に形成されたものである。前記蓄冷剤容器１０Ａの平面視形状は、四角形、その他の多角形、あるいは円形等、適宜の形状とされるが、この例では略長方形とされている。なお、この実施例における蓄冷剤容器１０Ａは、２００ｍｍ×２８５ｍｍ×１８ｍｍの外形寸法からなる。
【００１８】
前記蓄冷剤容器１０Ａには、対向する一組の表面１１Ａ，１２Ａ間を貫通する２つの貫通穴１３Ａ，１４Ａが前記蓄冷剤容器１０Ａの幅方向に離れて並設され、前記貫通穴１３Ａ，１４Ａ間に中空把持部１５が形成されている。前記対向する一組の表面１１Ａ，１２Ａのうち、一方の平面１１Ａは、この蓄冷剤容器１０Ａの使用時、すなわち蓄例剤を充填して保冷容器又は保冷装置内の底面等に平坦に配置されるときに下面を構成し、それに対して他方の表面１２Ａは上面を構成する。
【００１９】
前記貫通穴１３Ａ，１４Ａは、この蓄冷剤容器１０Ａを把持する際に作業者の指等が挿入される部分であり、この例では長径６０ｍｍ×短径３０ｍｍの長円形からなり、前記長径同士を互いに平行にして１８ｍｍ離して形成されている。勿論、前記貫通穴１３Ａ，１４Ａの数、サイズ、形状、間隔は限定されるものではなく、適宜決定される。例えば、３つの貫通穴を形成し、前記３つの貫通穴間を後述の中空把持部とし、３本の指（例えば親指、人差し指、中指）を前記３つの貫通穴に挿入して前記中空把持部をつかむようにしてもよい。
【００２０】
前記貫通穴１３Ａ，１４Ａ間に、内部が中空の中空把持部１５Ａが形成されている。前記中空把持部１５Ａは、この蓄冷剤容器１０Ａを把持する際に作業者がつかむ部分である。さらに前記中空把持部１５Ａは、この例では、前記貫通穴１３Ａ，１４Ａが形成されている前記一組の表面のうち一方の表面１１Ａ側から他方の表面１２Ａ側へ窪んだ形状にされている。そのため、前記中空把持部１５Ａが窪んでいる側の前記表面１１Ａを下面として、前記蓄冷剤容器１０Ａを保冷容器又は保冷装置内の底部等に配置すると、前記中空把持部１５Ａの下側に保冷容器又は保冷装置との間に隙間を生じ、その隙間に作業者の指を差し込んで前記中空把持部１５Ａの下面を支えるようにして前記中空把持部１５Ａをつかむことができるため、手が滑ることなく確実に前記中空把持部１５Ａを持つことができるようになる。この実施例では、前記下面となる表面１１Ａから６ｍｍ窪んで前記中空把持部１５Ａが形成されているため、前記窪み量６ｍｍと同じ寸法の隙間が前記中空把持部１５Ａと保冷容器又は保冷装置内の底面間に生じる。
【００２１】
さらに、この実施例では、前記貫通穴１３Ａ，１４Ａの形成されている前記一組の表面１１Ａ，１２Ａのうち、前記中空把持部１５Ａの窪み側とされた表面１１Ａとは反対側の表面１２Ａで、前記前記中空把持部１５Ａが外方へ膨出した形状とされている。そのため、前記蓄冷剤容器１０Ａを、前記中空把持部１５Ａの窪み側の前記表面１１Ａを下面、他方の表面１２Ａを上面として、保冷容器又は保冷装置内の底面等に配置した際に、前記中空把持部１５Ａが上方に突出していることになって、前記中空把持部１５Ａをつかみ易くなり、前記取り出しが容易になる。
【００２２】
前記中空把持部１５Ａは、その両端１６Ａ，１７Ａが前記蓄冷剤容器１０Ａ内で開口して前記蓄冷剤容器１０Ａ内の前記中空把持部１５Ａ以外の部分と連通している。そのため、前記中空把持部１５Ａ内にも蓄冷剤を充填できるので、蓄冷剤の充填効率が高まり、保冷時間の増大効果がある。
【００２３】
また、前記蓄冷剤容器１０Ａは、平面視において前記中空把持部１５Ａの延長線上に蓄冷剤充填口１８Ａが形成されている。この実施例では、前記貫通穴１３Ａ，１４Ａの形成された一組の表面１１Ａ，１２とはその周縁で直交する面１９Ａにおいて、前記中空把持部１５Ａの延長線上に蓄冷剤充填口１８Ａが形成されている。したがって、前記蓄冷剤充填口１８Ａから前記蓄冷剤容器１０Ａ内に真っ直ぐ蓄冷剤を充填すれば、前記中空把持部１５Ａの一端１６Ａの開口部分から前記中空把持部１５Ａ内を蓄冷剤が通って前記中空把持部１５Ａの反対側端１７Ａから前記蓄冷剤容器１０Ａ内に充填されるため、蓄冷剤が前記中空把持部１５Ａに妨げられることなく、スムーズに前記蓄冷剤容器１０Ａ内に充填される。しかも前記中空把持部１５Ａ内にも確実に充填される。
【００２４】
さらに、この実施例では、前記蓄冷剤充填口１８Ａと対向する前記中空把持部１５Ａの端部１６Ａは、前記蓄冷剤充填口１８Ａへ向けて拡開した形状となっているため、前記蓄冷剤充填口１８Ａから前記蓄冷剤容器１０Ａ内に真っ直ぐ充填された蓄冷剤は、前記拡開している端部１６Ａから前記中空把持部１５Ａ内に入り易く、前記中空把持部１５Ａ内を通って前記蓄冷剤容器１０Ａ内にスムーズに充満する。なお、前記蓄冷剤充填口１８Ａは蓄冷剤の充填後、キャップが嵌められ、接着剤、熱融着あるいは高周波融着等により封止される。
【００２５】
図４〜図６に示す第二実施例の蓄冷剤容器１０Ｂは、中空把持部１５Ｂの側面２０Ｂが凹凸形状２１Ｂになっていることを除き、第一実施例の蓄冷剤容器１０Ａと同一である。この第二実施例の蓄冷剤容器１０Ｂにおいては、前記中空把持部１５Ｂをつかむ際に、前記中空把持部１５Ｂの側面２０Ｂが凹凸形状２１Ｂになっているため、指が滑り難く、一層確実につかむことができるようになる。その他、前記第一実施例と同一の部分については、第一実施例の説明と重複するため、説明を省略する。なお前記第一実施例では、各部を示す符号として数字と共にアルファベットのＡを用いたが、この第二実施例では、第一実施例との混乱を防ぐため、アルファベットをＢに変更した。したがって、アルファベットのみが相違し、数字が同一の部分は前記第一実施例と同じ名称の部分を示している。このことは、前記数字と共に使用されるアルファベットをＣとするこの後の第三実施例でも同様である。
【００２６】
また、前記第二実施例では、前記中空把持部１５Ｂは、前記蓄冷剤容器１０Ｂにおいて、対向する一組の表面１１Ｂ，１２Ｂのうち一方の表面１１Ｂ側で窪み、他方側の表面１２Ｂで外方へ膨出した形状とされているが、前記窪み及び膨出が無く、前記両表面１１Ｂ，１２Ｂと前記中空把持部１５Ｂの表面が面一になった平らなものであってもよい。その場合でも前記中空把持部１５Ｂの側面２０Ｂにおける凹凸形状２１Ｂによって、前記中空把持部１５Ｂがつかみ易くなっている。
【００２７】
図７〜図９に示す第三実施例の蓄冷剤容器１０Ｃは、中空把持部１５Ｃが前記蓄冷剤容器１０Ｃにおける対向する一組の表面１１Ｃ，１２Ｃに対して窪みや膨出のない形状とされ、前記両表面１１Ｃ，１２Ｃと前記中空把持部１５Ｃの表面が面一になった平らなもので構成されていること、及び前記中空把持部１５Ｃの側面２０Ｃが、前記中空把持部１５Ｃの厚み方向ｔに沿って略くの字形状に外方へ膨出していることにおいて、前記第一実施例の蓄冷剤容器１０Ａと相違し、その他の構成は前記第一実施例の蓄冷剤容器１０Ａと同一である。この第三実施例の蓄冷剤容器１０Ｃにおいては、前記中空把持部１５Ｃをつかむ際に、前記中空把持部１５Ｃの側面２０Ｃが中空把持部１５Ｃの厚み方向ｔに沿って略くの字形状に外方に膨出しているため、その膨出部の頂部２２Ｃに指が引っ掛かり、前記中空把持部１５Ｃを確実につかむことができる。
【００２８】
さらに、この第三実施例では、前記蓄冷剤容器１０Ｃにおいて対向する一組の表面１１Ｃ，１２Ｃに対する窪みや膨出が前記中空把持部１５Ｃに存在せず、前記蓄冷剤蓄充填口１８Ｃから、前記中空把持部１５Ｃの一端１６Ｃ、前記中空把持部１５Ｃ内、及び前記中空把持部１５Ｃの他端１７Ｃに至るまで、完全に一直線にできる。そのため、前記蓄冷剤充填口１８Ｃから真っ直ぐ充填された蓄冷剤が、前記中空把持部１５Ｃ内での抵抗少なく、一層スムーズに前記中空把持部１５Ｃ内を通過して前記蓄冷剤容器１０Ｃ内に充満することができ、蓄冷剤の充填時間を短縮させることができる。また、前記第三実施例では、前記対向する一組の表面１１Ｃ，１２Ｃの何れを下面又は上面として使用しても、前記蓄冷剤容器１０Ｃが敷き詰められる保冷容器又は保冷装置内の底面等に対して、前記蓄冷材容器１０Ｃを安定して配置できるため、使用時に上下面を確認する手間がなくなる。
【００２９】
その他前記第一、第二及び第三実施例において共通していることとして、前記蓄冷剤容器１０Ａ，１０Ｂ，１０Ｃで下面とされる前記表面１１Ａ，１１Ｂ，１１Ｃは、前記蓄冷剤容器１０Ａ，１０Ｂ，１０Ｃを平坦に置くのに妨げにならないように、それぞれ外方への突部が無いものとされている。また、前記両側表面１１Ａ，１１Ｂ，１１Ｃ，１２Ａ，１２Ｂ，１２Ｃの四隅付近には、蓄冷剤の凍結膨張による前記蓄冷剤容器１０Ａ，１０Ｂ，１０Ｃの変形を抑えるため及び前記蓄冷剤容器１０Ａ，１０Ｂ，１０Ｃの剛性向上等のために、内方へ陥没した凹部２５Ａ，２５Ｂ，２５Ｃがそれぞれ形成されている。
【００３０】
なお、前記第一実施例又は第二実施例における前記中空把持部の側面を、第三実施例におけるように、前記中空恥部の厚み方向に沿って略くの字状に膨出させてもよい。また、この発明は、前記実施例に限られるものではなく、この発明の趣旨を逸脱しない範囲で変更される場合も含むものである。
【００３１】
【発明の効果】
以上図示し説明したように、この発明の蓄冷剤容器によれば、中空把持部をつかんで蓄冷剤容器の取り出し等を行えるため、作業性に優れる効果がある。特に蓄冷剤の充填された蓄冷剤容器が保冷容器又は保冷装置内の底面等に平坦に敷き詰められて、蓄冷剤容器間に指の引っ掛かりとなる隙間が無い場合でも、前記蓄冷剤容器の中空把持部をつかんで蓄冷剤容器を取り出すことができるため、極めて作業性が良い。
【００３２】
さらに、前記中空把持部が一側で窪んでいたり、他側で蓄冷剤容器の表面から膨出していたり、前記中空把持部の側面において凹凸があったり、くの字状の膨出があったりすれば、指の引っ掛かりができ、より確実、かつ迅速に蓄冷剤容器を取り出すことができる。
【００３３】
また、前記中空把持部の両端を前記蓄冷剤容器内で開口した形状とすれば、前記中空把持部内にも蓄冷剤を充填することができ、蓄冷剤の充填率を高めて保冷時間を増大させることができる。
【００３４】
さらにまた、前記蓄冷剤容器の平面視において、前記中空把持部の延長線上に蓄冷剤充填口を設ければ、前記中空把持部に邪魔されることなく蓄冷剤を中空容器内に確実に充填することができる。また、前記蓄冷剤充填口と対向する中空把持部の端部を前記蓄冷剤充填口に向けて拡開形状とすれば、前記蓄冷剤充填口から充填された蓄冷剤を前記中空把持部内にスムーズに導いて前記蓄冷剤容器内に、より効率よく充満させることができる。
【図面の簡単な説明】
【図１】この発明の第一実施例に係る蓄冷剤容器の平面図、右側面図、正面図である。
【図２】図１の２ａ−２ａ、２ｂ−２ｂ、２ｃ−２ｃの各断面図である。
【図３】第一実施例における二点鎖線部分Ａを断面にして示す平面図である。
【図４】第二実施例の蓄冷剤容器の平面図、右側面図、正面図である。
【図５】図４の５ａ−５ａ、５ｂ−５ｂ、５ｃ−５ｃの各断面図である。
【図６】第二実施例における二点鎖線部分Ｂを断面にして示す平面図である。
【図７】第三実施例の蓄冷剤容器の平面図、右側面図、正面図である。
【図８】図７の８ａ−８ａ、８ｂ−８ｂ、８ｃ−８ｃの各断面図である。
【図９】第三実施例における二点鎖線部分Ｃを断面にして示す平面図である。
【符号の説明】
１０Ａ，１０Ｂ，１０Ｃ　蓄冷剤容器
１１Ａ，１１Ｂ，１１Ｃ　一方の表面（使用時の下面）
１２Ａ，１２Ｂ，１２Ｃ　他方の表面（使用時の上面）
１３Ａ，１３Ｂ，１３Ｃ，１４Ａ，１４Ｂ，１４Ｃ　貫通穴
１５Ａ，１５Ｂ，１５Ｃ　中空把持部
１６Ａ，１６Ｂ，１６Ｂ　蓄冷剤充填口と対向する中空把持部の端部
１８Ａ，１８Ｂ，１８Ｃ　蓄冷剤充填口
２０Ａ，２０Ｂ，２０Ｃ　中空把持部の側面
２１Ｂ　中空把持部側面の凹凸形状
２２Ｃ　中空把持部の側面におけるくの字形状頂部
ｔ　中空把持部の厚み方向
【図１】
2004069126.tif 000003
【図２】
2004069126.tif 000004
【図３】
2004069126.tif 000005
【図４】
2004069126.tif 000006
【図５】
2004069126.tif 000007
【図６】
2004069126.tif 000008
【図７】
2004069126.tif 000009
【図８】
2004069126.tif 000010
【図９】
2004069126.tif 000011